(57)【要約】      （修正有）【課題】スロット部を開閉可能に覆う蓋部材が開き状態及び閉じ状態で外観面から突出することがなく、蓋部材を開閉操作しやすくすると共に、カード状記録媒体を取り出しやすくする。【解決手段】スロット部２１１ａを開閉可能に覆い、閉じ状態でスロット部２１１ａに装着されるカード状記録媒体２１０ａに対して略垂直に配置され、閉じ状態及び開き状態で機器本体の外観面の平面部２４２からカード状記録媒体２１０ａの排出方向に突出しない位置に配置される蓋部材２００を備える。蓋部材２００は、閉じ状態から開き方向に移動する際にカード状記録媒体２１０ａに近づく側に、閉じ状態でカード状記録媒体２１０ａの排出側の端部からスロット部２１１ａへのカード状記録媒体２１０ａの挿入方向に向けて突出する延出部２０４を有し、延出部２０４はカード状記録媒体２１０ａに当たらないように平面部２４２からカード状記録媒体２１０ａの排出方向に突出する。【選択図】図１０
2016076018.tif 000002
【特許請求の範囲】
【請求項１】
機器本体の内部に設けられ、カード状記録媒体が着脱可能に装着されるスロット部と、
前記スロット部を開閉可能に覆い、閉じ状態で前記スロット部に装着される前記カード状記録媒体に対して略垂直に配置されるとともに、閉じ状態及び開き状態で前記機器本体の外観面の平面部から前記カード状記録媒体の排出方向に突出しない位置に配置される蓋部材と、を備え、
前記蓋部材は、閉じ状態から開き方向に移動する際に前記カード状記録媒体に近づく側に、閉じ状態で前記スロット部に装着された前記カード状記録媒体の排出側の端部から前記スロット部への前記カード状記録媒体の挿入方向に向けて突出する延出部を有し、
前記延出部は、前記蓋部材の閉じ状態と開き状態との間の位置で前記スロット部に装着された前記カード状記録媒体に当たらないように前記平面部から前記カード状記録媒体の排出方向に突出することを特徴とする電子機器。
【請求項２】
前記蓋部材は、前記機器本体に設けられたレール部に沿って開閉方向にスライド移動することを特徴とする請求項１に記載の電子機器。
【請求項３】
前記蓋部材には、透明もしくは半透明の窓部が設けられ、
前記スロット部に装着された前記カード状記録媒体は、前記蓋部材の閉じ状態で前記窓部の中央よりも下側に配置されることを特徴とする請求項１又は２に記載の電子機器。
【請求項４】
前記延出部は、前記蓋部材の閉じ状態で前記機器本体の角部もしくはバッテリボックス部の一部を形成することを特徴とする請求項１乃至３のいずれか一項に記載の電子機器。
【請求項５】
前記機器本体に対して開閉方向に回動可能に支持される表示ユニットを備え、
前記平面部は、前記表示ユニットの閉じ状態で前記表示ユニットの収納面を形成することを特徴とする請求項１乃至４のいずれか一項に記載の電子機器。
【発明の詳細な説明】
【技術分野】
【０００１】
本発明は、カード状記録媒体を着脱可能に保持するスロット部を備える例えばデジタルカメラやデジタルビデオカメラ等の撮像装置を含む電子機器に関する。
【背景技術】
【０００２】
デジタルカメラ等の電子機器では、スロット部に装着されたメモリカード等のカード状記録媒体へのアクセス中に誤操作等でカード状記録媒体が抜かれると、カード状記録媒体のデータ破損の可能性がある。そこで、カード状記録媒体へのアクセス中の誤操作防止や防塵、意匠性の観点から、スロット部を蓋部材で開閉可能に覆って保護することが多い。
【０００３】
例えば、蓋部材を閉じた場合は、機器本体の外観面と蓋部材とがほぼ同一面をなし、蓋部材を開く際には、蓋部材を機器本体の内部にスライド移動（インナースライド）させる構造が提案されている（特許文献１）。
【０００４】
この提案では、蓋部材の閉じ状態で蓋部材が機器本体の外観面とほぼ同一面をなすことで、電子機器の意匠性を高めることができ、また、蓋部材を開く際には、蓋部材は機器本体の内部にスライド移動するため、電子機器の外観側に突出することがない。
【０００５】
また、蓋部材を２体構造としてカード状記録媒体の取り出し用の開口を広げ、これにより、スロット部に装着されたカード状記録媒体を取り出しやすくする構造が知られている（特許文献２）。
【先行技術文献】
【特許文献】
【０００６】
【特許文献１】特開２０１３-１０１７５４号公報
【特許文献２】特開２０００-３２２５１９号公報
【発明の概要】
【発明が解決しようとする課題】
【０００７】
しかし、上記特許文献１では、蓋部材を開く際には、蓋部材を機器本体の内部にスライド移動（インナースライド）させるため、スロット部に装着されたカード状記録媒体上を通過する部分ではカード状記録媒体に蓋部材が当たらないようにする必要がある。
【０００８】
このため、蓋部材をフラットな形状にせざるを得ず、結果として蓋部材を開いた際の開口形状が狭く、且つカード状記録媒体が奥まった位置にあるためカード状記録媒体をスロット部から取り出しにくいという問題がある。
【０００９】
一方、上記特許文献２では、カード状記録媒体を取り出しやすくするために、蓋部材を２つの部品で構成しているため、コスト増を招き、また、蓋部材の動きが複雑で直感的に開閉操作しにくい等の問題がある。
【００１０】
そこで、本発明の目的は、スロット部を開閉可能に覆う蓋部材が開き状態及び閉じ状態で機器本体の外観面から突出することがなく、かつ簡易な構造で蓋部材を開閉操作しやすくすると共に、スロット部からカード状記録媒体を取り出しやすくすることにある。
【課題を解決するための手段】
【００１１】
上記目的を達成するために、本発明の電子機器は、機器本体の内部に設けられ、カード状記録媒体が着脱可能に装着されるスロット部と、前記スロット部を開閉可能に覆い、閉じ状態で前記スロット部に装着される前記カード状記録媒体に対して略垂直に配置されるとともに、閉じ状態及び開き状態で前記機器本体の外観面の平面部から前記カード状記録媒体の排出方向に突出しない位置に配置される蓋部材と、を備え、前記蓋部材は、閉じ状態から開き方向に移動する際に前記カード状記録媒体に近づく側に、閉じ状態で前記スロット部に装着された前記カード状記録媒体の排出側の端部から前記スロット部への前記カード状記録媒体の挿入方向に向けて突出する延出部を有し、前記延出部は、前記蓋部材の閉じ状態と開き状態との間の位置で前記スロット部に装着された前記カード状記録媒体に当たらないように前記平面部から前記カード状記録媒体の排出方向に突出することを特徴とする。
【発明の効果】
【００１２】
本発明によれば、スロット部を開閉可能に覆う蓋部材が開き状態及び閉じ状態で機器本体の外観面から突出することがなく、かつ簡易な構造で蓋部材を開閉操作しやすくすると共に、スロット部からカード状記録媒体を取り出しやすくすることができる。
【図面の簡単な説明】
【００１３】
【図１】本発明の電子機器の実施形態の一例であるデジタルカメラを背面側から見た斜視図である。
【図２】図１に示すデジタルカメラの表示ユニットをカメラ本体に対して全開にした状態を示す斜視図である。
【図３】図２に示すデジタルカメラを正面側から見た斜視図である。
【図４】表示ユニットをカメラ本体に対して全開にした状態をカメラ本体の背面側から見た平面図である。
【図５】図４の斜め上方から見た部分拡大斜視図である。
【図６】蓋部材の正面図である。
【図７】蓋部材の取付構造を説明する分解斜視図である。
【図８】カメラ本体の背面側から見た蓋部材の動作例を説明する平面図である。
【図９】カメラ本体の背面側から見た蓋部材の動作例を説明する平面図である。
【図１０】窓部付近での図８の右側面から見た蓋部材の動作例を説明する要部断面図である。
【図１１】窓部付近での図９の右側面から見た蓋部材の動作例を説明する要部断面図である。
【図１２】下側スライドピン部付近での図８の右側面から見た蓋部材の動作例を説明する要部断面図である。
【図１３】下側スライドピン部付近での図９の右側面から見た蓋部材の動作例を説明する要部断面図である。
【図１４】図１０（ａ）の部分拡大図である。
【図１５】図１０（ｂ）の部分拡大図である。
【図１６】比較例としての蓋部材を説明する要部断面図である。
【発明を実施するための形態】
【００１４】
以下、図面を参照して、本発明の実施形態の一例を説明する。
【００１５】
図１は、本発明の電子機器の実施形態の一例であるデジタルカメラを背面側から見た斜視図である。
【００１６】
図１に示すように、本実施形態のデジタルカメラ１００は、カメラ本体１０１の正面側に交換レンズ部１１０が着脱可能に装着され、カメラ本体１０１の上部に、電源スイッチ部１０２及びファインダ部１５０等が設けられている。
【００１７】
カメラ本体１０１を背面側から見てカメラ本体１０１の左側部には、操作ボタン群１０３が設けられ、右側部には、外部接続部１６０等が設けられている。ここで、カメラ本体１０１は、本発明の機器本体の一例に相当する。
【００１８】
また、カメラ本体１０１の背面側には、ＬＣＤ等の表示ユニット１２０がカメラ本体１０１に対してヒンジ部１３０を介して開閉方向に回動可能に、かつ開状態で回転可能に支持されている。カメラ本体１０１の表示ユニット１２０の下方には、バッテリボックス部１０４が設けられている。
【００１９】
なお、本実施形態では、カメラ本体１０１に対して交換レンズ部１１０が着脱可能に装着される一眼レフタイプのデジタルカメラを例示したが、カメラ本体１０１に対してレンズ部が一体に設けられるデジタルカメラであってもよい。
【００２０】
図２は、図１に示すデジタルカメラ１００の表示ユニット１２０をカメラ本体１０１に対して全開にした状態を示す斜視図である。図３は、図２に示すデジタルカメラ１００を正面側から見た斜視図である。
【００２１】
図２に示すように、カメラ本体１０１に対して表示ユニット１２０をヒンジ部１３０を介して１８０°回動させて全開にした状態では、カメラ本体１０１の背面側に設けられた背面スイッチ部１０７、及び蓋部材２００が外観面に露出する。蓋部材２００は、メモリカード等のカード状記録媒体２１０ａ，２１０ｂ（図４参照）が着脱可能に装着されるスロット部２１１ａ，２１１ｂ（図７参照）を開閉可能に覆って保護する。
【００２２】
蓋部材２００は、閉じ状態でスロット部２１１ａ，２１１ｂに装着されるカード状記録媒体２１０ａ，２１０ｂに対して略垂直に配置される。また、蓋部材２００には、透明もしくは半透明部材の窓部２２０ａ，２２０ｂが設けられ、内部が確認できるようになっている。
【００２３】
また、表示ユニット１２０には、図１の閉じ状態でカメラ本体１０１側を向いていた面に、表示面１２１、操作用十字スイッチ部１２２、及びパネルスイッチ部１２３が配置されている。なお、図２では、バッテリボックス部１０４に、バッテリ１４０が着脱可能に収納されている。
【００２４】
また、図３に示すように、交換レンズ部１１０は、レンズマウント部１１１を介してカメラ本体１０１に装着される。交換レンズ部１１０は、着脱ノブ１１２の操作によりレンズマウント部１１１に対して着脱可能になっている。
【００２５】
カメラ本体１０１を正面側から見てカメラ本体１０１の左側の側面部には、ユーザが撮影時に把持するグリップ部１７０が着脱可能に取り付けられ、グリップ部１７０には、グリップトリガ部１７１等が設けられている。
【００２６】
図４は、表示ユニット１２０をカメラ本体１０１に対して全開にした状態をカメラ本体１０１の背面側から見た平面図である。図５は、図４の斜め上方から見た部分拡大斜視図である。
【００２７】
図４及び図５に示すように、蓋部材２００の窓部２２０ａ，２２０ｂを通してスロット部２１１ａ，２１１ｂ（図７参照）にカード状記録媒体２１０ａ，２１０ｂが装着されているか否かを蓋部材２００を開けることなく確認することが可能である。
【００２８】
また、スロット部２１１ａ，２１１ｂに装着されたカード状記録媒体２１０ａ，２１０ｂは、蓋部材２００の窓部２２０ａ，２２０ｂの上下方向の中央より下方に配置されている。
【００２９】
これにより、蓋部材２００より上方位置のファインダ部１５０を覗こうとした際に、言い換えると図５に示すように、背面側の斜め上方から見た際にも、カード状記録媒体２１０ａ，２１０ｂが装着されているか否かをより容易に確認することが可能になる。
【００３０】
図６は、蓋部材２００の正面図である。図７は、蓋部材２００の取付構造を説明する分解斜視図である。
【００３１】
図６に示すように、蓋部材２００には、下側スライドピン部２０１ａ，２０１ｂ、上側スライドピン部２０２ａ，２０２ｂ、指掛け部２０３、及び内部確認用の窓部２２０ａ，２２０ｂが設けられている。
【００３２】
そして、蓋部材２００は、図７に示すように、背面側カバー部２４０と内側カバー部２３０との間に挟まれるように配置され、内側カバー部２３０には、スロット部２１１ａ，２１１ｂを搭載したスロット基板２１２が取り付けられる。
【００３３】
スロット部２１１ａ，２１１ｂには、前述したように、カード状記録媒体２１０ａ，２１０ｂがそれぞれ着脱可能に装着される。バネ部２５０は、蓋部材２００の開き状態及び閉じ状態を保持するための付勢力を発生させる。内側カバー部２３０の正面側（スロット基板２１２の反対側）には、制御基板３００、放熱部３１０及び放熱ファン３２０が配置される。
【００３４】
図８（ａ）、図８（ｂ）及び図９は、カメラ本体１０１の背面側から見た蓋部材２００の動作例を説明する平面図である。図８（ａ）は蓋部材２００の閉じ状態を示し、図８（ｂ）は蓋部材２００の半開き状態を示し、図９は蓋部材２００の全開状態を示す。
【００３５】
図１０（ａ）、図１０（ｂ）及び図１１は、それぞれ窓部２２０ａ付近での図８（ａ）、図８（ｂ）及び図９の右側面から見た蓋部材２００の動作例を説明する要部断面図である。
【００３６】
図１２（ａ）、図１２（ｂ）及び図１３は、それぞれ下側スライドピン部２０１ｂ付近での図８（ａ）、図８（ｂ）及び図９の右側面から見た蓋部材２００の動作例を説明する要部断面図である。
【００３７】
図８（ａ）、図８（ｂ）及び図９に示すように、蓋部材２００は、カメラ本体１０１の背面側から見て上下方向にスライド操作することにより開閉動作を行う。蓋部材２００が開閉動作する際には、図１２（ａ）、図１２（ｂ）及び図１３に示すように、下側スライドピン部２０１ｂ及び上側スライドピン部２０２ｂが、それぞれ下側レール溝部４００ａ及び上側レール溝部４００ｂに沿ってスライド移動する。
【００３８】
下側レール溝部４００ａは、背面側カバー部２４０に設けられた下側レール部２４０ｂと、内側カバー部２３０に設けられた下側レール部２３０ｂとによって形成される。上側レール溝部４００ｂは、背面側カバー部２４０に設けられた上側レール部２４１ｂと、内側カバー部２３０に設けられた上側レール部２３１ｂとによって形成される。
【００３９】
なお、下側スライドピン部２０１ａ及び上側スライドピン部２０２ａについては、図示を省略するが、下側スライドピン部２０１ｂ及び上側スライドピン部２０２ｂと同様のレール溝構造である。
【００４０】
図８（ａ），１０（ａ）及び図１２（ａ）に示す蓋部材２００の閉じ状態において、下側スライドピン部２０１ａ，２０１ｂ及び上側スライドピン部２０２ａ，２０２ｂは、レール溝部４００ａ，４００ｂの最も下側に位置している。
【００４１】
このとき、図１０（ａ）に示すように、蓋部材２００に設けられた延出部２０４は、バッテリボックス部１０４の一部を形成している。これにより、外観上の見えの向上や、防塵、防滴性の向上を図っている。
【００４２】
ここで、図１４乃至図１６等を参照して、本実施形態の蓋部材２００と比較例としての蓋部材２０００との相違点について説明する。
【００４３】
図１４は、図１０（ａ）の部分拡大図である。図１５は、図１０（ｂ）の部分拡大図である。図１６は、比較例としての蓋部材２０００を説明する要部断面図である。
【００４４】
まず、図１６を参照して、比較例としての蓋部材２０００は、本実施形態の蓋部材２００と同様に、図の上下方向に背面側カバー部２４００の平面部２４２０より外観側に飛び出さないようにスライド移動して開閉動作を行う。
【００４５】
その際、蓋部材２０００は、カード状記録媒体２１００ａの挿入方向Ｘと反対側の端部、即ち、排出側の端部２１００ｃに干渉しないように、下側が排出側の端部２１００ｃよりさらに排出側に離れた位置に配置される。
【００４６】
また、外観上の見えの向上や、防塵、防滴性を向上させるため、バッテリボックス部１０４０は、蓋部材２０００に接する位置、即ちカード状記録媒体２１００ａの排出側の端部２１００ｃの位置よりさらに排出側に離れた位置まで延ばして配置する必要がある。
【００４７】
このため、カード状記録媒体２１００ａを指で取り出す際に、指がバッテリボックス部１０４０に先当たりし、カード状記録媒体２１００ａを取り出しにくくなる。
【００４８】
そこで、本実施形態では、蓋部材２００の延出部２０４は、図１４に示すように、カード状記録媒体２１０ａ，２１０ｂの排出側の端部２１０ｃの位置αよりカード状記録媒体２１０ａ，２１０ｂの挿入方向Ｘの側に略平行に突出する位置βまで延出している。
【００４９】
これにより、蓋部材２００が図１１に示す全開状態になった際に、カード状記録媒体２１０ａ，２１０ｂをより取り出しやすくすることができる。
【００５０】
ところで、このように延出部２０４をカード状記録媒体２１０ａ，２１０ｂの排出側の端部２１０ｃより挿入方向Ｘの側に突出形成した場合、蓋部材２００の開閉時にカード状記録媒体２１０ａ，２１０ｂと延出部２０４とが干渉してしまう。
【００５１】
そこで、本実施形態では、図１２（ｂ）に示すように、下側レール溝部４００ａがカード状記録媒体２１０ａ，２１０ｂの排出方向に膨らむような形状となっている。
【００５２】
これにより、図１０（ｂ）に示すように、蓋部材２００の開閉動作時にカード状記録媒体２１０ａ，２１０ｂの排出側の端部２１０ｃを延出部２０４が乗り越える部分で干渉しないような動きとなる。
【００５３】
このとき、図１５に示すように、蓋部材２００の一部は、背面側カバー部２４０の平面部２４２の位置Ｙよりカード状記録媒体２１０ａ，２１０ｂの排出方向に突出することによりカード状記録媒体２１０ａ，２１０ｂと延出部２０４との干渉を防止している。平面部２４２は、本実施形態では、背面側カバー部２４０の表示ユニット１２０の収納面を形成している。
【００５４】
また、図９、図１１、及び図１３に示す蓋部材２００の全開状態では、蓋部材２００は、平面部２４２の位置Ｙよりカード状記録媒体２１０ａ，２１０ｂの排出方向に突出しない位置までレール溝部４００ａ，４００ｂに沿って移動している。
【００５５】
また、実際には、蓋部材２００は、バネ部２５０により、図８（ｂ）、図１０（ｂ）、及び図１２（ｂ）の位置でとどまることはなく、常に図８（ａ）、図１０（ａ）、及び１２（ａ）の閉じ状態又は図９、図１１、及び図１３の全開状態となる。このため、蓋部材２００が表示ユニット１２０と干渉することがない。
【００５６】
以上説明したように、本実施形態では、カード状記録媒体２１０ａ，２１０ｂが着脱可能に装着されるスロット部２１１ａ，２１１ｂを開閉可能に覆う蓋部材２００が開き状態及び閉じ状態でカメラ本体１０１の外観面から突出することがない。
【００５７】
また、本実施形態では、簡易な構造で蓋部材２００を開閉操作しやすくすることができると共に、スロット部２１１ａ，２１１ｂからカード状記録媒体２１０ａ，２１０ｂを取り出しやすくすることができる。
【００５８】
なお、本発明の構成は、上記実施形態に例示したものに限定されるものではなく、材質、形状、寸法、形態、数、配置箇所等は、本発明の要旨を逸脱しない範囲において適宜変更可能である。
【００５９】
例えば、上記実施形態では、蓋部材２００に設けられた延出部２０４は、蓋部材２００の閉じ状態でバッテリボックス部１０４の一部を形成する場合を例示したが、これに限定されず、カメラ本体１０１の角部を形成してもよい。
【符号の説明】
【００６０】
１０１  カメラ本体
２００  蓋部材
２０４  延出部
２１０ａ，２１０ｂ  カード状記録媒体
２１１ａ，２１１ｂ  スロット部
２４２  平面部
４００ａ  下側レール溝部
４００ｂ  上側レール溝部
【図１】
2016076018.tif 000003
【図２】
2016076018.tif 000004
【図３】
2016076018.tif 000005
【図４】
2016076018.tif 000006
【図５】
2016076018.tif 000007
【図６】
2016076018.tif 000008
【図７】
2016076018.tif 000009
【図８】
2016076018.tif 000010
【図９】
2016076018.tif 000011
【図１０】
2016076018.tif 000012
【図１１】
2016076018.tif 000013
【図１２】
2016076018.tif 000014
【図１３】
2016076018.tif 000015
【図１４】
2016076018.tif 000016
【図１５】
2016076018.tif 000017
【図１６】
2016076018.tif 000018